【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
通信回線を介して複数の受信装置へ画像を配信可能なネットワークカメラであって、
画像を撮像する撮像部と、
前記撮像部によって撮像された撮像画像の配信を要求する前記受信装置へ前記撮像画像を配信する送信部と、
前記撮像画像が前記複数の受信装置のうちの予め指定された受信装置へ前記送信部によって配信されたか否かを監視する送信監視部と、
前記送信監視部によって監視された、前記複数の受信装置のうちの予め前記指定された受信装置への配信が途切れた場合にのみ、前記撮像画像を蓄積し、前記複数の受信装置のうちの予め前記指定された受信装置以外への配信が途切れた場合には前記撮像画像を蓄積しない蓄積部と
を有するネットワークカメラ。
【請求項２】
請求項１に記載のネットワークカメラであって、
前記蓄積部は、
前記指定配信が復帰した場合に前記撮像画像の蓄積を停止するネットワークカメラ。
【請求項３】
請求項１または２に記載のネットワークカメラであって、
前記指定された受信装置への配信が途切れてから前記蓄積部による蓄積を開始するまでの時間を含む蓄積開始情報を有し、
前記蓄積部は、
前記蓄積開始情報に基づいて、前記指定された受信装置への配信が途切れた場合に前記撮像画像の蓄積を開始するネットワークカメラ。
【請求項４】
請求項１または２に記載のネットワークカメラであって、
前記蓄積部によって前記撮像画像を蓄積する時間間隔を含む蓄積間隔情報を有し、
前記蓄積部は、
前記蓄積間隔情報に基づいて、前記指定された受信装置への配信が途切れた場合の前記撮像画像を蓄積する時間間隔を決定するネットワークカメラ。
【請求項５】
請求項１ないし４のいずれか１項に記載のネットワークカメラであって、
前記蓄積部によって前記撮像画像が蓄積されていることを前記受信装置へ通知する蓄積監視部を有するネットワークカメラ。
【請求項６】
請求項１ないし５のいずれか１項に記載のネットワークカメラであって、
前記送信監視部によって前記指定された受信装置への前記撮像画像の配信を監視する監視時間帯を示す録画期間を含む録画時間情報を有し、
前記蓄積部は、
前記録画時間情報に基づいて、前記指定された受信装置への配信が途切れた場合の前記撮像画像の蓄積を行う期間を決定するネットワークカメラ。
【請求項７】
請求項１ないし５のいずれか１項に記載のネットワークカメラであって、
前記送信監視部によって前記指定された受信装置への前記撮像画像の配信を監視する時間隔を示す録画間隔を含む録画間隔情報を有し、
前記録画間隔情報に基づいて、前記指定された受信装置への配信が途切れた場合の前記撮像画像の蓄積を行う時間間隔を決定するネットワークカメラ。
【請求項８】
通信回線に接続された、ネットワークカメラおよび前記ネットワークカメラによって画像を配信される複数の受信装置を有するネットワークカメラシステムであって、
前記ネットワークカメラは、
画像を撮像する撮像部と、
前記受信装置へ前記撮像部によって撮像された撮像画像を配信する送信部と、
前記撮像画像が前記複数の受信装置のうちの予め指定された受信装置へ前記送信部によって配信されたか否かを監視する送信監視部と、
前記送信監視部によって監視された、前記複数の受信装置のうちの予め前記指定された受信装置への配信が途切れた場合にのみ、前記撮像画像を蓄積し、前記複数の受信装置のうちの予め前記指定された受信装置以外への配信が途切れた場合には前記撮像画像を蓄積しない蓄積部とを有し、
前記受信装置は、
前記送信部によって前記指定された受信装置へ配信された撮像画像を受信する受信部を有するネットワークカメラシステム。
【請求項９】
通信回線に接続された、ネットワークカメラおよび前記ネットワークカメラによって画像を配信される複数の受信装置を有するネットワークカメラシステムで用いられる監視方法であって、
画像が撮像される撮像ステップと、
前記受信装置へ前記撮像ステップにおいて撮像された撮像画像が配信される送信ステップと、
前記撮像画像が前記複数の受信装置のうちの予め指定された受信装置へ前記送信ステップにおける配信がされたか否かが監視される送信監視ステップと、
前記送信監視ステップにおいて監視された、前記複数の受信装置のうちの予め前記指定された受信装置への配信が途切れた場合にのみ、前記撮像画像が蓄積され、前記複数の受信装置のうちの予め前記指定された受信装置以外への配信が途切れた場合には前記撮像画像が蓄積されない蓄積ステップと
前記送信ステップにおいて前記指定された受信装置へ配信された撮像画像が受信される受信ステップと
を有する監視方法。
【手続補正２】
【補正対象書類名】明細書
【補正対象項目名】０００６
【補正方法】変更
【補正の内容】
【０００６】
上記目的を達成するために、本発明のネットワークカメラは、通信回線を介して複数の配信先（すなわち受信装置）へ画像を配信可能なネットワークカメラであって、画像を撮像する撮像部と、前記撮像部によって撮像された撮像画像の配信を要求する前記配信先へ前記撮像画像を配信する送信部と、前記撮像画像が前記複数の配信先のうちの予め指定された配信先へ前記送信部によって配信されたか否かを監視する送信監視部と、前記送信監視部によって監視された、前記複数の配信先のうちの予め前記指定された配信先への配信が途切れた場合にのみ、前記撮像画像を蓄積し、前記複数の配信先のうちの予め前記指定された配信先以外への配信が途切れた場合には前記撮像画像を蓄積しない蓄積部とを有する構成としている。 
【手続補正３】
【補正対象書類名】明細書
【補正対象項目名】００２０
【補正方法】変更
【補正の内容】
【００２０】
また、本発明のネットワークカメラシステムは、通信回線に接続された、ネットワークカメラおよび前記ネットワークカメラによって画像を配信される複数の配信先（すなわち受信装置）を有するネットワークカメラシステムであって、前記ネットワークカメラは、画像を撮像する撮像部と、前記配信先へ前記撮像部によって撮像された撮像画像を配信する送信部と、前記撮像画像が前記複数の配信先のうちの予め指定された配信先へ前記送信部によって指定配信されたか否かを監視する送信監視部と、前記送信監視部によって監視された、前記複数の配信先のうちの予め前記指定された配信先への配信が途切れた場合にのみ、前記撮像画像を蓄積し、前記複数の配信先のうちの予め前記指定された配信先以外への配信が途切れた場合には前記撮像画像を蓄積しない蓄積部とを有し、前記配信先は、前記送信部によって前記指定された配信先へ配信された撮像画像を受信する受信部を有する構成としている。
【手続補正４】
【補正対象書類名】明細書
【補正対象項目名】００２２
【補正方法】変更
【補正の内容】
【００２２】
また、本発明の監視方法は、通信回線に接続された、ネットワークカメラおよび前記ネットワークカメラによって画像を配信される複数の配信先（すなわち受信装置）を有するネットワークカメラシステムで用いられる監視方法であって、画像が撮像される撮像ステップと、前記配信先へ前記撮像ステップにおいて撮像された撮像画像が配信される送信ステップと、前記撮像画像が前記複数の配信先のうちの予め指定された配信先へ前記送信ステップにおける配信がされたか否かが監視される送信監視ステップと、前記送信監視ステップにおいて監視された、前記複数の配信先のうちの予め前記指定された配信先への配信が途切れた場合にのみ、前記撮像画像が蓄積され、前記複数の配信先のうちの予め前記指定された配信先以外への配信が途切れた場合には前記撮像画像が蓄積されない蓄積ステップと、前記送信ステップにおいて前記指定された配信先へ配信された撮像画像が受信される受信ステップとを有する方法としている。
【手続補正５】
【補正対象書類名】明細書
【補正対象項目名】００４１
【補正方法】変更
【補正の内容】
【００４１】
次に、画像取得要求が第２のクライアント１２０Ｂからサーバ１１０Ａへ送信されたにもかかわらず、あらかじめ定めた設定時間内にサーバ１１０Ａにおいて次の画像取得要求が検出されない場合（ステップＳ２０５）、第２のクライアント１２０Ｂからの画像取得要求は監視されているため、サーバ１１０Ａは蓄積メモリ１１９へ画像の蓄積を開始する（ステップＳ２０６）。
【手続補正６】
【補正対象書類名】明細書
【補正対象項目名】００４５
【補正方法】変更
【補正の内容】
【００４５】
また、画像取得要求が第１のクライアント１２０Ａからサーバ１１０Ａへ送信されたにもかかわらず、あらかじめ定めた設定時間内にサーバ１１０Ａにおいて検出されない場合は、第１のクライアント１２０Ａからの画像取得要求は監視されていないため、蓄積メモリ１１９への画像の蓄積を行わない（ステップＳ２１１）。
【手続補正７】
【補正対象書類名】明細書
【補正対象項目名】００６５
【補正方法】変更
【補正の内容】
【００６５】
また、画像取得要求が第１のクライアント１２０Ａからサーバ１１０Ａへ送信され（ステップＳ５０５）、サーバ１１０Ａが第１のクライアント１２０Ａへ画像の配信を行うことができたとしても（ステップＳ５０６）、第２のクライアント１２０Ｂへの画像の配信が途切れてしまっている場合は蓄積メモリ１１９への画像の蓄積を継続する（ステップＳ５０７）。この蓄積メモリ１１９への画像の蓄積は、録画間隔毎に行うので、ここでは６秒毎に画像の蓄積を行う。
【手続補正８】
【補正対象書類名】図面
【補正対象項目名】図５
【補正方法】変更
【補正の内容】
【図５】
2007142861.tif 000001